(57)【要約】【課題】医療用長尺体の回転角度によらずに、放射線透視画像上で医療用長尺体の先端部の回転角度を計測することができる医療用長尺体を提供する。【解決手段】医療用長尺体１０のマーカー部３０は、本体部２０の中心軸周りの周方向の全周に沿って連続的に形成された少なくとも一つの基準マーカー部３１０と、本体部の中心軸周りの周方向の一部に沿ってそれぞれ配置された複数の計測マーカー部３２１〜３２４と、を有している。複数の計測マーカー部の各々は、本体部の軸方向において、互いに異なる位置に配置されており、かつ、本体部の中心軸周りにおいて、少なくとも一部が互いに異なる位置に配置されてなる。【選択図】図１
2018191883.tif 000002
【特許請求の範囲】
【請求項１】
長尺状の本体部と、
前記本体部の先端部に配置され、放射線不透過性を有するマーカー部と、を有する医療用長尺体であって、
前記マーカー部は、
前記本体部の中心軸周りの周方向の全周に沿って連続的に形成された少なくとも一つの基準マーカー部と、
前記本体部の中心軸周りの周方向の一部に沿ってそれぞれ配置された複数の計測マーカー部と、を有し、
複数の前記計測マーカー部の各々は、前記本体部の軸方向において、互いに異なる位置に配置されており、かつ、前記本体部の中心軸周りにおいて、少なくとも一部が互いに異なる位置に配置されてなる、医療用長尺体。
【請求項２】
前記基準マーカー部の前記本体部の中心軸周りの周方向に延在する形状は、複数の前記計測マーカー部の前記本体部の中心軸周りの周方向に延在する形状と異なる、請求項１に記載の医療用長尺体。
【請求項３】
前記基準マーカー部は、前記計測マーカー部との間に隙間を介して配置されてなる、請求項１または請求項２に記載の医療用長尺体。
【請求項４】
前記基準マーカー部は、前記計測マーカー部よりも先端側に配置されてなる、請求項１〜３のいずれか１項に記載の医療用長尺体。
【請求項５】
軸方向に隣り合う前記計測マーカー部は、軸方向に互いに接するように隙間なく配置されてなる、請求項１〜４のいずれか１項に記載の医療用長尺体。
【請求項６】
複数の前記計測マーカー部は、前記本体部の中心軸周りの周方向に沿う長さが同じである、請求項１〜５のいずれか１項に記載の医療用長尺体。
【請求項７】
複数の前記計測マーカー部は、前記本体部の中心軸周りの周方向の半周に沿ってそれぞれ配置されてなる、請求項６に記載の医療用長尺体。
【請求項８】
前記本体部の中心軸方向に直交する断面において、隣り合う前記計測マーカー部が前記本体部の中心軸周りにずれる角度は、等しい、請求項１〜７のいずれか１項に記載の医療用長尺体。
【請求項９】
前記医療用長尺体を側面視した放射線透視画像において、前記計測マーカー部は、前記本体部の中心軸に対して非対称な形状を有する、請求項１〜８のいずれか１項に記載の医療用長尺体。
【請求項１０】
前記医療用長尺体は、ガイドワイヤまたはカテーテルである、請求項１〜９のいずれか１項に記載の医療用長尺体。
【発明の詳細な説明】
【技術分野】
【０００１】
本発明は、医療用長尺体に関する。
【背景技術】
【０００２】
従来から、生体管腔内の病変部の治療や診断を行うためにガイドワイヤやカテーテル等の医療用長尺体が用いられている。術者は、医療用長尺体を生体管腔に挿入して病変部の治療や診断を行う。
【０００３】
医療用長尺体を用いた手技では、例えば、分岐した血管内で所望の血管を選択する際に、先端を意図した方向に向けるために医療用長尺体の回転操作を行う。このとき、手元の回転操作によって回転する医療用長尺体の基端部と先端部との回転角度の比率は、医療用長尺体を挿通した生体管腔の形状や医療用長尺体の構成等によって異なる。したがって、手元の回転操作によって医療用長尺体の先端部がどの程度回転したかを把握することは困難であった。
【０００４】
例えば、下記特許文献１には、放射線不透過性を有する複数のマーカー部を備える医療用長尺体が開示されている。当該マーカー部は、周方向の一部に沿って配置され、隣り合う当該マーカー部は、周方向の位置がずれるように配置されている。下記特許文献１の医療用長尺体によれば、術者は、回転角度によって放射線透視画像上のマーカー部の形状が変化することを利用して、医療用長尺体の回転角度を計測することができる。
【先行技術文献】
【特許文献】
【０００５】
【特許文献１】特表２０１６−５１１６４４号公報
【発明の概要】
【発明が解決しようとする課題】
【０００６】
しかしながら、上記特許文献１のマーカー部は、周方向の一部が欠けているため、回転角度によって放射線透視画像上のマーカー部を視認し難い場合がある。これにより、術者は、回転角度によって放射線透視画像上でマーカー部の形状の変化を把握することができず、医療用長尺体の回転角度を計測することができなくなってしまう。
【０００７】
本発明は、上述した課題を解決するためになされたものであり、医療用長尺体の回転角度によらずに、放射線透視画像上で医療用長尺体の先端部の回転角度を計測することができる医療用長尺体を提供することを目的とする。
【課題を解決するための手段】
【０００８】
上記目的を達成する本発明に係る医療用長尺体は、長尺状の本体部と、前記本体部の先端部に配置され、放射線不透過性を有するマーカー部と、を有する医療用長尺体である。前記マーカー部は、前記本体部の中心軸周りの周方向の全周に沿って連続的に形成された少なくとも一つの基準マーカー部と、前記本体部の中心軸周りの周方向の一部に沿ってそれぞれ配置された複数の計測マーカー部と、を有する。複数の前記計測マーカー部の各々は、前記本体部の軸方向において、互いに異なる位置に配置されており、かつ、前記本体部の中心軸周りにおいて、少なくとも一部が互いに異なる位置に配置されてなる。
【発明の効果】
【０００９】
上記のように構成した医療用長尺体によれば、本体部の中心軸周りにおいて、計測マーカー部の少なくとも一部が互いに異なる位置に配置されているため、医療用長尺体の先端部を本体部の中心軸周りに回転させると、放射線透視画像上における計測マーカー部の形状が変化する。また、Ｘ線透視画像を撮影する方向から見て、マーカー部が重なっている部分は、重なっていない部分よりも濃く造影される。術者は、放射線透視画像上における計測マーカー部の形状および濃淡を観察することによって、医療用長尺体の先端部の回転角度を計測することができる。また、マーカー部は、本体部の中心軸周りの周方向の全周に沿って連続的に形成された基準マーカー部を備えているため、回転角度によらずに、基準マーカー部を基準として複数の計測マーカー部の位置を正確に把握することができる。これにより、術者は、回転角度によらずに、放射線透視画像上でガイドワイヤの先端部の回転角度を計測することができる。その結果、医療用長尺体の操作性が向上するとともに、トルクのかけ過ぎによる医療用長尺体の破断を防止することができる。
【図面の簡単な説明】
【００１０】
【図１】第１実施形態に係るガイドワイヤの側面図である。
【図２】第１実施形態に係るガイドワイヤの軸方向断面図である。
【図３】図３（Ａ）は、図１に示す３Ａ−３Ａ線に沿う軸直交断面図であり、図３（Ｂ）は、図１に示す３Ｂ−３Ｂ線に沿う軸直交断面図であり、図３（Ｃ）は、図１に示す３Ｃ−３Ｃ線に沿う軸直交断面図であり、図３（Ｄ）は、図１に示す３Ｄ−３Ｄ線に沿う軸直交断面図であり、図３（Ｅ）は、図１に示す３Ｅ−３Ｅ線に沿う軸直交断面図である。
【図４】図１に示すガイドワイヤのＸ線透視画像を示す図であり、図４（Ａ）は、図３（Ａ）〜（Ｅ）の矢印Ｄ１の方向から撮影したＸ線透視画像を示し、図４（Ｂ）は、図３（Ａ）〜（Ｅ）の矢印Ｄ２の方向から撮影したＸ線透視画像を示し、図４（Ｃ）は、図３（Ａ）〜（Ｅ）の矢印Ｄ３の方向から撮影したＸ線透視画像を示し、図４（Ｄ）は、図３（Ａ）〜（Ｅ）の矢印Ｄ４の方向から撮影したＸ線透視画像を示す。
【図５】第２実施形態に係るガイドワイヤの側面図である。
【図６】図６（Ａ）は、図５に示す６Ａ−６Ａ線に沿う軸直交断面図であり、図６（Ｂ）は、図５に示す６Ｂ−６Ｂ線に沿う軸直交断面図であり、図６（Ｃ）は、図５に示す６Ｃ−６Ｃ線に沿う軸直交断面図であり、図６（Ｄ）は、図５に示す６Ｄ−６Ｄ線に沿う軸直交断面図であり、図６（Ｅ）は、図５に示す６Ｅ−６Ｅ線に沿う軸直交断面図である。
【図７】図７（Ａ）は、図５に示す７Ａ−７Ａ線に沿う軸直交断面図であり、図７（Ｂ）は、図５に示す７Ｂ−７Ｂ線に沿う軸直交断面図であり、図７（Ｃ）は、図５に示す７Ｃ−７Ｃ線に沿う軸直交断面図であり、図７（Ｄ）は、図５に示す７Ｄ−７Ｄ線に沿う軸直交断面図であり、図７（Ｅ）は、図５に示す７Ｅ−７Ｅ線に沿う軸直交断面図である。
【図８】図５に示すガイドワイヤのＸ線透視画像を示す図であり、図８（Ａ）は、図６（Ａ）〜（Ｅ）、図７（Ａ）〜（Ｅ）の矢印Ｄ１の方向から撮影したＸ線透視画像を示し、図８（Ｂ）は、図６（Ａ）〜（Ｅ）、図７（Ａ）〜（Ｅ）の矢印Ｄ２の方向から撮影したＸ線透視画像を示し、図８（Ｃ）は、図６（Ａ）〜（Ｅ）、図７（Ａ）〜（Ｅ）の矢印Ｄ３の方向から撮影したＸ線透視画像を示し、図８（Ｄ）は、図６（Ａ）〜（Ｅ）、図７（Ａ）〜（Ｅ）の矢印Ｄ４の方向から撮影したＸ線透視画像を示す。
【図９】図５に示すガイドワイヤのＸ線透視画像を示す図であり、図９（Ａ）は、図６（Ａ）〜（Ｅ）、図７（Ａ）〜（Ｅ）の矢印Ｄ５の方向から撮影したＸ線透視画像を示し、図９（Ｂ）は、図６（Ａ）〜（Ｅ）、図７（Ａ）〜（Ｅ）の矢印Ｄ６の方向から撮影したＸ線透視画像を示し、図９（Ｃ）は、図６（Ａ）〜（Ｅ）、図７（Ａ）〜（Ｅ）の矢印Ｄ７の方向から撮影したＸ線透視画像を示し、図９（Ｄ）は、図６（Ａ）〜（Ｅ）、図７（Ａ）〜（Ｅ）の矢印Ｄ８の方向から撮影したＸ線透視画像を示す。
【図１０】第３実施形態に係るガイドワイヤの側面図であり、図１０（Ａ）は、図３（Ａ）〜（Ｅ）の矢印Ｄ１の方向から撮影したＸ線透視画像に対応する図であり、図１０（Ｂ）は、図３（Ａ）〜（Ｅ）の矢印Ｄ２の方向から撮影したＸ線透視画像に対応する図であり、図１０（Ｃ）は、図３（Ａ）〜（Ｅ）の矢印Ｄ３の方向から撮影したＸ線透視画像に対応する図であり、図１０（Ｄ）は、図３（Ａ）〜（Ｅ）の矢印Ｄ４の方向から撮影したＸ線透視画像に対応する図である。
【図１１】図１０に示すガイドワイヤのＸ線透視画像を示す図であり、図１１（Ａ）は、図１０（Ａ）に示すガイドワイヤのＸ線透視画像を示し、図１１（Ｂ）は、図１０（Ｂ）に示すガイドワイヤのＸ線透視画像を示し、図１１（Ｃ）は、図１０（Ｃ）に示すガイドワイヤのＸ線透視画像を示し、図１１（Ｄ）は、図１０（Ｄ）に示すガイドワイヤのＸ線透視画像を示す。
【図１２】図１２（Ａ）〜（Ｃ）は、第３実施形態に係るマーカー部の変形例を示す図である。
【発明を実施するための形態】
【００１１】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１２】
＜第１実施形態＞
本実施形態では、本発明を適用する医療用長尺体としてガイドワイヤ１０を例に挙げて説明する。図１は、第１実施形態に係るガイドワイヤ１０の側面図、図２は、ガイドワイヤ１０の軸方向断面図、図３は、ガイドワイヤ１０の軸直交断面図、図４は、ガイドワイヤ１０のＸ線透視画像を示す図である。
【００１３】
ガイドワイヤ１０は、例えば、生体管腔に挿入されて、治療用または診断用のカテーテルの内腔（ガイドワイヤルーメン）に挿通された状態で、当該カテーテルを生体管腔の目的部位へ導くために用いられる。
【００１４】
図１に示すように、本実施形態に係るガイドワイヤ１０（「医療用長尺体」に相当）は、長尺状の本体部２０と、本体部２０の先端部に配置され、放射線不透過性を有するマーカー部３０と、を有している。ここで、「放射線不透過性を有する」とは、通常の医療現場において、放射線透視画像上で物体（例えばマーカー）の存在が視認できる程度であることを意味する。以下の説明では、放射線としてＸ線を用いた例を説明するが、医療現場で診断または治療のために使用される放射線である限りにおいてＸ線に限定されない。
【００１５】
ガイドワイヤ１０の軸方向に沿う長さは、特に限定されないが、例えば、２００〜５０００ｍｍとすることができる。ガイドワイヤ１０（本体部２０）の直径φ１（図１を参照）は、特に限定されないが、例えば、０．１〜１．０ｍｍとすることができる。
【００１６】
また、本体部２０の先端部において、マーカー部３０を配置する位置は、ガイドワイヤ１０の用途や構造によっても異なるが、例えば、本体部２０の先端から軸方向に沿って０〜２０ｍｍ程度までを含むものとする。
【００１７】
（本体部）
本実施形態において、本体部２０は、図２に示すように、軸方向に延在する長尺状のコアワイヤ４０と、コアワイヤ４０の外表面を覆うように設けられた被覆層５０と、を含む長尺体によって構成されている。
【００１８】
本明細書の説明では、本体部２０の中心軸が延在する方向（図１中の左右方向）を「軸方向」と定義し、各図において矢印Ｘで示す。また、ガイドワイヤ１０を本体部２０の中心軸（回転軸）周りに回転操作する方向を「周方向」と定義し、各図において矢印Ｒで示す。なお、本明細書では、図３（Ａ）に示すように、本体部２０およびコアワイヤ４０の軸直交断面は、略円形（真円を含む）に形成されており、本体部２０の中心軸とコアワイヤ４０の中心軸は、略同軸上に配置されているものとする。
【００１９】
また、ガイドワイヤ１０において生体内（血管内）に挿入される側を先端側（遠位側、図１中の左側）と定義し、各図において矢印Ｘ１で示し、先端側と反対側に位置する術者によって手元での操作がなされる側を基端側（近位側、図１中の右側）と定義し、各図において矢印Ｘ２で示す。また、本明細書において先端部とは、先端（最先端）から軸方向における一定の範囲を含む部分を意味し、基端部とは、基端（最基端）から軸方向における一定の範囲を含む部分を意味するものとする。
【００２０】
また、術者の手元側（基端側）から見てガイドワイヤ１０を本体部２０の中心軸を中心として右周りに回転させる方向を各図において矢印Ｒ１で示し、左周りに回転させる方向を各図において矢印Ｒ２で示す。
【００２１】
（コアワイヤ）
図２に示すように、コアワイヤ４０は、可撓性を有する一本の連続した線材で構成されている。コアワイヤ４０は、先端から基端側へ向かって外径が漸増するテーパー部４１と、テーパー部４１から基端側へ略一定の外径で延びる外径一定部４２と、を有している。
【００２２】
なお、コアワイヤ４０の形状は、図示する形状に限定されることはなく、例えば、先端側から基端側にかけて一定の外形形状（一定の外径）で形成されていてもよい。また、例えば、コアワイヤ４０は、一本の連続した線材から構成せずに、複数の線材で構成することも可能である。
【００２３】
コアワイヤ４０の構成材料は特に限定されないが、例えば、Ｎｉ−Ｔｉ系合金、ステンレス鋼、超弾性合金などを用いることができる。
【００２４】
（被覆層）
被覆層５０は、比較的柔軟性の高い材料によって構成されている。被覆層５０の先端部は、生体管腔の内壁に損傷を与えないように、図１、図２に示すような丸みを帯びた形状であることが好ましい。
【００２５】
被覆層５０の構成材料は特に限定されないが、比較的柔軟性の高い樹脂材料が好ましく、例えば、ポリエチレン、ポリプロピレン等のポリオレフィン、ポリ塩化ビニル、ポリエステル（ＰＥＴ、ＰＢＴ等）、ポリアミド、ポリイミド、ポリウレタン、ポリスチレン、ポリカーボネート、シリコーン樹脂、フッ素系樹脂（ＰＴＦＥ、ＥＴＦＥ、ＰＦＡ等）、またはこれらの複合材料や、ラテックスゴム、シリコーンゴム等の各種ゴム材料、またはこれらのうちの２以上を組み合わせた複合材料が挙げられる。上記材料の中でも、柔軟性をより向上する観点から、ウレタン系樹脂を使用することがより好ましい。これにより、ガイドワイヤ１０の先端部に柔軟性を持たせることができるため、ガイドワイヤ１０を生体管腔に挿入する際に、生体管腔の内壁に損傷を与えることを防止することができる。
【００２６】
被覆層５０の厚さは、特に限定されないが、例えば、５〜５００μｍであるのが好ましい。なお、被覆層５０は、一層構造に限定されず、複数の層を積層して構成してもよい。
【００２７】
（親水性被覆層）
本体部２０の外表面は、図示しない親水性被覆層により覆われていることが好ましい。親水性被覆層によって覆われていることにより摺動性が向上するため、ガイドワイヤ１０が生体管腔の内壁やカテーテルに引っ掛かることを防止することができる。
【００２８】
親水性被覆層の構成材料は特に限定されないが、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、ポリグリシジルメタクリレート−ジメチルアクリルアミド（ＰＧＭＡ−ＤＭＡＡ）のブロック共重合体）、水溶性ナイロン、ポリビニルアルコール、ポリビニルピロリドン等からなる公知の親水性物質が挙げられる。
【００２９】
親水性被覆層の厚さは、特に限定されないが、例えば、０．１〜１００μｍであるのが好ましい。
【００３０】
（マーカー部）
マーカー部３０は、図２に示すように、被覆層５０の外表面に配置されている。なお、ガイドワイヤ１０は、マーカー部３０および被覆層５０の外表面を覆う被覆層を別途有していてもよい。
【００３１】
マーカー部３０は、図１、図２に示すように、本体部２０の中心軸周りの周方向の全周に沿って連続的に円環状に形成された少なくとも一つの基準マーカー部３１０と、本体部２０の中心軸周りの周方向の一部に沿ってそれぞれ配置された複数の計測マーカー部３２１〜３２４と、を有している。
【００３２】
なお、基準マーカー部３１０および複数の計測マーカー部３２１〜３２４は、周方向に沿うように配置されていることが好ましいが、本発明を実施可能な程度に周方向に対して交差する方向に沿って螺旋状に配置されていてもよい。
【００３３】
基準マーカー部３１０の数は、特に限定されないが、本実施形態では１つ設けている。また、計測マーカー部３２１〜３２４の数は、２以上であれば特に限定されないが、本実施形態では４つ設けている。
【００３４】
マーカー部３０の構成材料は、コアワイヤ４０よりも高いＸ線不透過性を有する材料であれば特に限定されないが、例えば、金、白金、タングステン等の貴金属またはこれらを含む合金（例えば白金−イリジウム合金）等の金属材料や、タングステン、硫酸バリウム、酸化ビスマス等の無機材料をＸ線不透過性物質として含有する樹脂材料が挙げられる。
【００３５】
本実施形態では、マーカー部３０は、上記金属材料によって構成され、気相成膜法等によって薄膜状に加工した金属薄膜によって構成されている。マーカー部３０は、当該金属薄膜を被覆層５０の外表面に蒸着や接着等によって固定することによって形成されている。金属薄膜の厚みは、特に限定されないが、例えば、１．０×１０−３ｍｍ〜１．０×１０−１ｍｍにすることができる。
【００３６】
金属薄膜は、成膜の際のパターニングや成膜後の削り出しによって、形状付けすることができるため、所望の形状にマーカー部３０を成形することができる。また、マーカー部３０を金属薄膜によって構成することにより、リング状の金属マーカーに比べて、ガイドワイヤ１０の直径を細く製造することができる。さらに、金属薄膜は、リング状の金属マーカーに比べて、広範囲に配置することが製造上容易なため、より広範囲を造影させることができる。
【００３７】
また、金属薄膜の厚みを調整することによって、ガイドワイヤ１０の先端部の曲げ剛性を調整することができる。これにより、例えば、ガイドワイヤ１０の最先端から所定の長さの部位の剛性を局所的に低くすることができる。当該剛性を低くした部位を曲げることによって、曲げた部分を病変部に押し当てるナックルワイヤとしてガイドワイヤ１０を使用することができる。
【００３８】
また、例えば、ガイドワイヤ１０の先端部に湾曲状に形状付けされたアングル形状（図示せず）を有する場合、マーカー部３０は、アングル形状よりも基端側に配置することが好ましい。マーカー部３０がガイドワイヤ１０のうちアングル形状を有していない部分（略直線状の部分）に配置されることによって、術者は、マーカー部３０を基にＸ線透視画像においてガイドワイヤ１０の回転角度をより正確に計測することができる。
【００３９】
図１を参照して、マーカー部３０の軸方向に沿う長さ（幅）Ｗ１は、特に限定されないが、例えば、０．４〜２０ｍｍとすることができる。
【００４０】
以下、図３、図４を参照して、基準マーカー部３１０および複数の計測マーカー部３２１〜３２４の構成について詳細に説明する。
【００４１】
図３（Ａ）は、基準マーカー部３１０を示す軸直交断面図であり、図３（Ｂ）は、計測マーカー部３２１を示す軸直交断面図であり、図３（Ｃ）は、計測マーカー部３２２を示す軸直交断面図であり、図３（Ｄ）は、計測マーカー部３２３を示す軸直交断面図であり、図３（Ｅ）は、計測マーカー部３２４を示す軸直交断面図である。
【００４２】
図４（Ａ）〜（Ｄ）は、ガイドワイヤ１０を本体部２０の中心軸周りにずれ角度Δθ（＝９０°）ずつ矢印Ｒ１方向に回転させて、ガイドワイヤ１０を側面視したＸ線透視画像を示す図である。図４（Ａ）は、図３（Ａ）〜（Ｅ）に示す矢印Ｄ１の方向から撮影したＸ線透視画像である。図４（Ｂ）〜（Ｄ）は、図４（Ａ）に示すＸ線透視画像を基準（０°）としてガイドワイヤ１０を矢印Ｒ１方向に回転させて撮影したＸ線透視画像である。図４（Ｂ）は、ガイドワイヤ１０を９０°だけ矢印Ｒ１方向に回転させて撮影したＸ線透視画像、すなわち、図３（Ａ）〜（Ｅ）に示す矢印Ｄ２の方向から撮影したＸ線透視画像である。図４（Ｃ）は、ガイドワイヤ１０を１８０°だけ矢印Ｒ１方向に回転させて撮影したＸ線透視画像、すなわち、図３（Ａ）〜（Ｅ）に示す矢印Ｄ３の方向から撮影したＸ線透視画像である。図４（Ｄ）は、ガイドワイヤ１０を２７０°だけ矢印Ｒ１方向に回転させて撮影したＸ線透視画像、すなわち、図３（Ａ）〜（Ｅ）に示す矢印Ｄ４の方向から撮影したＸ線透視画像である。なお、ガイドワイヤ１０の回転方向は矢印Ｒ１方向に限定されず、矢印Ｒ２方向（図１を参照）に回転させてもよい。
【００４３】
（基準マーカー部）
基準マーカー部３１０は、各々の計測マーカー部３２１〜３２４を判別するための基準として機能する。基準マーカー部３１０は、本体部２０の軸方向において、複数の計測マーカー部３２１〜３２４と異なる位置に配置されている。術者は、本体部２０の軸方向において、各々の計測マーカー部３２１〜３２４の基準マーカー部３１０に対する相対的な位置を把握することによって、各々の計測マーカー部３２１〜３２４を判別することができる。
【００４４】
基準マーカー部３１０は、複数の計測マーカー部３２１〜３２４よりも先端側または基端側、あるいは複数の計測マーカー部３２１〜３２４の真ん中付近に配置することが好ましい。これにより、術者は、基準マーカー部３１０を基準として、各々の計測マーカー部３２１〜３２４の基準マーカー部３１０に対する相対的な位置を把握し易くなる。
【００４５】
本実施形態では、基準マーカー部３１０は、複数の計測マーカー部３２１〜３２４よりも先端側に配置されている。すなわち、基準マーカー部３１０は、マーカー部３０の最先端に配置されている。これにより、術者は、基準マーカー部３１０に基づいて、Ｘ線透視画像上でガイドワイヤ１０の先端部の位置を確認しながら、生体管腔の目的の部位にガイドワイヤ１０を容易に配置することができる。
【００４６】
また、基準マーカー部３１０は、計測マーカー部３２１〜３２４との間に隙間を介して配置されている。これにより、術者は、図４（Ａ）〜（Ｄ）に示すＸ線透視画像において、基準マーカー部３１０と、計測マーカー部３２１〜３２４とをより明確に区別することができる。
【００４７】
基準マーカー部３１０と、計測マーカー部３２１〜３２４との間の隙間の軸方向に沿う長さ（幅）Ｗ２は、特に限定されないが、例えば、０〜５．０ｍｍとすることができる。ここで、Ｗ２は、０ｍｍの場合も含む。すなわち、基準マーカー部３１０は、計測マーカー部３２１〜３２４との間に隙間を介さない構成としてもよい。
【００４８】
また、基準マーカー部３１０の本体部２０の中心軸周りの周方向に延在する形状は、複数の計測マーカー部３２１〜３２４の本体部２０の中心軸周りの周方向に延在する形状と異なるように形成されている。本実施形態では、基準マーカー部３１０は、図１に示すように、波型の形状を有している。一方で、計測マーカー部３２１〜３２４は、後述するように帯状の形状を有している。これにより、術者は、図４（Ａ）〜（Ｄ）に示すＸ線透視画像において、基準マーカー部３１０と、計測マーカー部３２１〜３２４とをより一層明確に区別することができる。
【００４９】
なお、基準マーカー部３１０の形状は、計測マーカー部３２１〜３２４との区別が認識できる形状であれば図１、図２に示す形状に特に限定されない。例えば、基準マーカー部３１０の形状は、周方向に向かって幅Ｗ３が変化する形状であってもよい。
【００５０】
図１を参照して、基準マーカー部３１０の軸方向に沿う長さ（幅）Ｗ３は、特に限定されないが、例えば、０．１〜５．０ｍｍとすることができる。
【００５１】
（計測マーカー部）
複数の計測マーカー部３２１〜３２４の各々は、本体部２０の軸方向において、互いに異なる位置に配置されており、かつ、本体部２０の中心軸周りにおいて、少なくとも一部が互いに異なる位置に配置されている。これにより、複数の計測マーカー部３２１〜３２４は、ガイドワイヤ１０の回転角度に応じてＸ線透視画像上の形状が変化する（図４（Ａ）〜（Ｄ）を参照）。術者は、Ｘ線透視画像において、複数の計測マーカー部３２１〜３２４の形状の変化を観察することによって、ガイドワイヤ１０の本体部２０の中心軸周りの回転角度を計測することができる。
【００５２】
本実施形態では、図３（Ｂ）〜（Ｅ）に示すように、軸方向に隣り合う計測マーカー部３２１〜３２４の中心角θ１〜θ４は、本体部２０の中心軸周りに所定のずれ角度Δθだけ互いにずれるように配置されている。ここで、「中心角」とは、ガイドワイヤ１０の軸直交方向断面において、計測マーカー部３２１〜３２４を本体部２０の中心軸を中心とする円弧としたとき、当該円弧の両端と本体部２０の中心軸とを結ぶ直線の挟む角のことをいう。また、「ずれ角度Δθ」とは、軸方向に隣り合う計測マーカー部３２１〜３２４の中心角θ１〜θ４が本体部２０の中心軸周りにずれる角度のことをいう。
【００５３】
計測マーカー部３２１〜３２４は、周方向に沿って略一定の幅Ｗ４を備える帯状の形状を有している。図１を参照して、計測マーカー部３２１〜３２４の軸方向に沿う長さ（幅）Ｗ４は、特に限定されないが、例えば、０．１〜５．０ｍｍとすることができる。
【００５４】
計測マーカー部３２１〜３２４は、本体部２０の周方向に沿う長さが同じである。このため、計測マーカー部３２１〜３２４の中心角θ１〜θ４の大きさは、同じである。
【００５５】
仮に、計測マーカー部３２１〜３２４の中心角θ１〜θ４の大きさが異なる場合、Ｘ線透視画像において、ガイドワイヤ１０を所定の角度回転させた際の各々の計測マーカー部３２１〜３２４の形状は、各々で異なるように変化する。したがって、計測マーカー部３２１〜３２４ごとに異なる形状の変化を把握する必要がある。
【００５６】
一方、本実施形態のように、計測マーカー部３２１〜３２４の中心角θ１〜θ４の大きさが同じである場合、Ｘ線透視画像において、ガイドワイヤ１０を所定の角度回転させた際の各々の計測マーカー部３２１〜３２４の形状は同じように変化する。例えば、計測マーカー部３２１は、図４（Ａ）においてガイドワイヤ１０の直径の長さ分造影されており、図４（Ａ）から９０°だけ矢印Ｒ１方向に回転させた図４（Ｂ）においてガイドワイヤ１０の半径の長さ分造影されている。同様に、計測マーカー部３２２は、図４（Ｂ）においてガイドワイヤ１０の直径の長さ分造影されており、図４（Ｂ）から９０°だけ矢印Ｒ１方向に回転させた図４（Ｃ）においてガイドワイヤ１０の半径の長さ分造影されている。このように、計測マーカー部３２１〜３２４の中心角θ１〜θ４の大きさが同じ９０°である場合、Ｘ線透視画像において、ガイドワイヤ１０を９０°回転させた際の各々の計測マーカー部３２１〜３２４の形状は、ガイドワイヤ１０の直径分の長さ分とガイドワイヤ１０の半径分の長さ分のいずれかに変化することとなる。したがって、術者は、Ｘ線透視画像において、ガイドワイヤ１０の回転角度による計測マーカー部３２１〜３２４の形状の違いを容易に判別することができる。その結果、術者は、ガイドワイヤ１０の回転角度を容易に把握することができる。
【００５７】
また、複数の計測マーカー部３２１〜３２４は、本体部２０の中心軸周りの周方向の半周に沿ってそれぞれ配置されている。これにより、計測マーカー部３２１〜３２４の本体部２０の周方向に沿う長さが本体部２０の中心軸周りの周方向の半周分になるため、術者は、特定の方向から撮影したＸ線透視画像において、ガイドワイヤ１０の直径の長さ分造影される計測マーカー部３２１〜３２４を観察することができる。仮に、計測マーカー部３２１〜３２４の本体部２０の周方向に沿う長さが本体部２０の中心軸周りの周方向の半周分よりも短いと、Ｘ線透視画像において計測マーカー部３２１〜３２４の大きさがガイドワイヤ１０の直径の長さ分よりも小さくなるため、計測マーカー部３２１〜３２４の視認性が低下する。逆に、計測マーカー部３２１〜３２４の本体部２０の周方向に沿う長さが本体部２０の中心軸周りの周方向の半周分よりも長いと、隣り合う計測マーカー部３２１〜３２４のＸ線透視画像における見え方が一致する範囲が広くなる。これにより、ガイドワイヤ１０の回転角度を計測できる範囲が狭まってしまう。以上の観点から、計測マーカー部３２１〜３２４は、本体部２０の周方向の半周に沿ってそれぞれ配置することが好ましい。この場合、計測マーカー部３２１〜３２４の各々の中心角θ１〜θ４の大きさは、１８０°である。
【００５８】
計測マーカー部３２１〜３２４が本体部２０の周方向の半周に沿って配置される場合、例えば、図３（Ｂ）、（Ｄ）の矢印Ｄ１、Ｄ３方向から撮影したＸ線透視画像において、図４（Ａ）、（Ｃ）に示すようにガイドワイヤ１０の直径の長さ分造影される計測マーカー部３２１、３２３を観察することができる。同様に、図３（Ｃ）、（Ｅ）の矢印Ｄ２、Ｄ４方向から撮影したＸ線透視画像において、図４（Ｂ）、（Ｄ）に示すようにガイドワイヤ１０の直径の長さ分造影される計測マーカー部３２２、３２４を観察することができる。
【００５９】
また、図３（Ｂ）、（Ｄ）の矢印Ｄ２、Ｄ４方向から撮影したＸ線透視画像において、図４（Ｂ）、（Ｄ）に示すようにガイドワイヤ１０の半径の長さ分造影される計測マーカー部３２１、３２３を観察することができる。同様に、図３（Ｃ）、（Ｅ）の矢印Ｄ１、Ｄ３方向から撮影したＸ線透視画像において、図４（Ａ）、（Ｃ）に示すようにガイドワイヤ１０の半径の長さ分造影される計測マーカー部３２２、３２４を観察することができる。また、図４（Ａ）、（Ｂ）では、計測マーカー部３２２、３２１が上側に、計測マーカー部３２４、３２３が下側に造影されている。同様に、図４（Ｃ）、（Ｄ）では、計測マーカー部３２２、３２１が下側に、計測マーカー部３２４、３２３が上側に造影されている。
【００６０】
上記のように、術者は、Ｘ線透視画像において、ガイドワイヤ１０の直径の長さ分造影される計測マーカー部３２１〜３２４の本数と基準マーカー部３１０に対する相対的な位置、およびガイドワイヤ１０の半径の長さ分造影される計測マーカー部３２１〜３２４の基準マーカー部３１０に対する相対的な位置と配置（上側または下側）を把握することによって、所定の角度（本実施形態では、９０°）ごとにガイドワイヤ１０を回転させて撮影した図４（Ａ）〜（Ｄ）に示すＸ線透視画像をそれぞれ判別することができる。これにより、術者は、例えば、図４（Ｂ）のＸ線透視画像の場合は、図４（Ａ）のＸ線透視画像を基準として、ずれ角度Δθ（９０°）だけ矢印Ｒ１方向に回転したことが分かる。同様に、術者は、図４（Ｃ）、（Ｄ）のＸ線透視画像の場合は、図４（Ａ）のＸ線透視画像を基準として、それぞれ１８０°、２７０°だけ矢印Ｒ１方向に回転したことが分かる。このように、術者は、図４（Ａ）〜（Ｄ）に示すＸ線透視画像をそれぞれ判別することによって、ガイドワイヤ１０の回転角度を計測することができる。
【００６１】
また、Ｘ線透視画像を撮影する方向から見て、マーカー部３０は、重なっている部分と重なっていない部分を有している。マーカー部３０の重なっている部分は、重なっていない部分よりも濃く造影される。例えば、図４（Ａ）において、基準マーカー部３１０は、図３（Ａ）に示すように、どの回転角度（矢印Ｄ１〜Ｄ４方向）から見ても重なっている。また、図４（Ａ）において、ガイドワイヤ１０の半径の長さ分造影されている計測マーカー部３２２、３２４は、図３（Ｃ）、（Ｅ）に示すように矢印Ｄ１方向から見て、計測マーカー部３２２、３２４の各々が重なっている。一方で、図４（Ａ）において、ガイドワイヤ１０の直径の長さ分造影されている計測マーカー部３２１、３２３は、図３（Ｂ）、（Ｄ）に示すように矢印Ｄ１方向から見て、計測マーカー部３２１、３２３の各々が重なっていない。したがって、Ｘ線透視画像において、基準マーカー部３１０および計測マーカー部３２２、３２４は、計測マーカー部３２１、３２３よりも濃く造影される。これにより、術者は、Ｘ線透視画像においてマーカー部３０の濃淡を観察することにより、基準マーカー部３１０および計測マーカー部３２１〜３２４をより明確に判別することができる。
【００６２】
軸方向に隣り合う計測マーカー部３２１〜３２４のずれ角度Δθは、等しい。すなわち、図３（Ｃ）に示す計測マーカー部３２１の中心角θ１と計測マーカー部３２２の中心角θ２との間のずれ角度Δθ、図３（Ｄ）に示す計測マーカー部３２２の中心角θ２と計測マーカー部３２３の中心角θ３との間のずれ角度Δθ、および図３（Ｅ）に示す計測マーカー部３２３の中心角θ３と計測マーカー部３２４の中心角θ４との間のずれ角度Δθは、それぞれ等しい。これにより、図３（Ｂ）〜（Ｅ）に示すように、本体部２０の中心軸方向に直交する断面において、計測マーカー部３２１〜３２４は、本体部２０の周方向に均等に配置されている。これにより、術者は、ガイドワイヤ１０の先端部の回転角度をずれ角度Δθごとに計測することができる。
【００６３】
ずれ角度Δθは、特に限定されないが、例えば、１°〜９０°とすることができる。ずれ角度Δθは、ガイドワイヤ１０の回転角度の計測を容易にする観点から、例えば、３０°、４５°、６０°、９０°等の整数値であることが好ましい。本実施形態では、ずれ角度Δθは、９０°としている。
【００６４】
計測マーカー部３２１〜３２４の数は、特に限定されないが、ガイドワイヤ１０の回転角度の計測を容易にする観点から、（１８０°／ずれ角度Δθ）〜（３６０°／ずれ角度Δθ）の範囲であることが好ましい。本実施形態では、計測マーカー部３２１〜３２４の数は、４（＝３６０°／ずれ角度Δθ（＝９０°））である。
【００６５】
また、軸方向に隣り合う計測マーカー部３２１〜３２４は、軸方向に互いに接するように隙間なく配置されている。これにより、マーカー部３０の幅Ｗ１（図１を参照）を狭めることができる。したがって、術者は、Ｘ線透視画像の撮影領域を変えることなく一つのＸ線透視画像上でマーカー部３０の全体を視認することができる。また、マーカー部３０の幅Ｗ１が広い場合、屈曲した血管等の生体管腔内では、Ｘ線透視画像上での各計測マーカー部３２１〜３２４の周方向の位置関係がずれて見えることが考えられる。本実施形態のようにマーカー部３０の幅Ｗ１が狭められている場合、Ｘ線透視画像上での各計測マーカー部３２１〜３２４の周方向の位置関係のずれは小さくなる。これにより、隣接する計測マーカー部３２１〜３２４の互いの周方向に沿う長さを比較することで計測を容易に行うことができる。
【００６６】
なお、基準マーカー部３１０および計測マーカー部３２１〜３２４の配置は、図１、図２に示すものに限定されず、例えば、軸方向に隣り合う計測マーカー部３２１〜３２４は、隙間を介して配置されていてもよい。
【００６７】
次に、図３、図４を参照して、ガイドワイヤ１０の使用例について説明する。なお、術者がガイドワイヤ１０を使用して回転角度を計測する方法は、下記に示すものに限定されない。
【００６８】
まず、術者は、ガイドワイヤ１０の先端部を生体管腔の病変部等の目的の部位に配置する。本実施形態では、基準マーカー部３１０は、マーカー部３０の最先端に配置されているため、ガイドワイヤ１０の先端部の位置を、ガイドワイヤ１０のどの回転角度からでも把握することができる。これにより、術者は、基準マーカー部３１０に基づいて、Ｘ線透視画像上でガイドワイヤ１０の先端部の位置を確認しながら、生体管腔の目的の部位に容易に配置することができる。
【００６９】
次に、術者は、Ｘ線透視画像において、マーカー部３０に基づいてガイドワイヤ１０の回転角度を確認しながら、ガイドワイヤ１０の回転操作を行う。
【００７０】
まず、術者は、基準マーカー部３１０に基づいて、複数の計測マーカー部３２１〜３２４の位置を把握する。このとき、基準マーカー部３１０は、本体部２０の中心軸周りの周方向の全周に沿って連続的に形成されているため、図４（Ａ）〜（Ｄ）に示すように、ガイドワイヤ１０のどの回転角度からでも、基準マーカー部３１０をＸ線透視画像上で視認することができる。
【００７１】
また、基準マーカー部３１０の本体部２０の中心軸周りの周方向に延在する形状は、複数の計測マーカー部３２１〜３２４の本体部２０の中心軸周りの周方向に延在する形状と異なるように形成されている。さらに、基準マーカー部３１０は、計測マーカー部３２１〜３２４との間に隙間を介して配置されている。これにより、術者は、図４（Ａ）〜（Ｄ）に示すように、Ｘ線透視画像において、基準マーカー部３１０と、計測マーカー部３２１〜３２４とをより明確に区別することができる。
【００７２】
また、軸方向に隣り合う計測マーカー部３２１〜３２４が隙間なく配置されているため、マーカー部３０の幅Ｗ１（図１を参照）を狭めることができる。これにより、術者は、Ｘ線透視画像の撮影領域を変えることなく一つのＸ線透視画像上でマーカー部３０の全体を視認することができる。また、マーカー部３０の幅Ｗ１が広い場合、屈曲した血管等の生体管腔内ではＸ線透視画像上での各計測マーカー部３２１〜３２４の周方向の位置関係がずれて見えることが考えられる。本実施形態のようにマーカー部３０の幅Ｗ１が狭められている場合、Ｘ線透視画像上での各計測マーカー部３２１〜３２４の周方向の位置関係のずれは小さくなる。これにより、隣接する計測マーカー部３２１〜３２４の互いの周方向に沿う長さを比較することで計測を容易に行うことができる。
【００７３】
仮に、マーカー部３０が基準マーカー部３１０を備えない場合、図４（Ｂ）、（Ｄ）に示すように、最先端に位置する計測マーカー部３２１の一部が欠けて見えるときに、術者が計測マーカー部３２１をＸ線透視画像上で認識し難い場合がある。この場合、最先端に位置する計測マーカー部３２１を基準として、複数の計測マーカー部３２１〜３２４を判別することができないため、術者は、ガイドワイヤ１０の先端部の回転角度を計測することができない。
【００７４】
本実施形態では、マーカー部３０は、基準マーカー部３１０を備えているため、各々の計測マーカー部３２１〜３２４の基準マーカー部３１０に対する相対的な位置を把握することによって、複数の計測マーカー部３２１〜３２４を判別することができる。
【００７５】
次に、術者は、複数の計測マーカー部３２１〜３２４を観察する。
【００７６】
本実施形態では、本体部２０の中心軸方向に直交する断面において、計測マーカー部３２１〜３２４は、本体部２０の周方向に均等に配置されているため、術者は、Ｘ線透視画像において、ガイドワイヤ１０の回転角度による計測マーカー部３２１〜３２４の形状の違いを容易に判別することができる。その結果、術者は、ガイドワイヤ１０の回転角度を容易に把握することができる。
【００７７】
また、計測マーカー部３２１〜３２４は、本体部２０の周方向の半周に沿ってそれぞれ配置されているため、特定の方向（図３（Ｂ）〜（Ｅ）中の矢印Ｄ１〜Ｄ４方向）から撮影したＸ線透視画像において、ガイドワイヤ１０の直径の長さ分造影される計測マーカー部３２１〜３２４を観察することができる。図４（Ａ）、（Ｃ）では、Ｘ線透視画像上で２つの計測マーカー部３２１、３２３がガイドワイヤ１０の直径の長さ分造影されている。一方で、図４（Ｂ）、（Ｄ）では、２つの計測マーカー部３２２、３２４がガイドワイヤ１０の直径の長さ分造影されている。これにより、術者は、ガイドワイヤ１０の直径の長さ分造影されている計測マーカー部３２１〜３２４を観察することによって、図４（Ａ）、（Ｃ）と図４（Ｂ）、（Ｄ）の判別をすることができる。
【００７８】
さらに、術者は、ガイドワイヤ１０の半径の長さ分造影されている計測マーカー部３２１〜３２４を観察する。図４（Ａ）、（Ｂ）では、計測マーカー部３２２、３２１が上側に、計測マーカー部３２４、３２３が下側に造影されている。一方で、図４（Ｃ）、（Ｄ）では、計測マーカー部３２２、３２１が下側に、計測マーカー部３２４、３２３が上側に造影されている。術者は、ガイドワイヤ１０の半径の長さ分造影されている計測マーカー部３２１〜３２４を観察することによって、図４（Ａ）、（Ｂ）と図４（Ｃ）、（Ｄ）の判別をすることができる。
【００７９】
また、Ｘ線透視画像を撮影する方向から見て、マーカー部３０が重なっている部分は、重なっていない部分よりも濃く造影される。これにより、術者は、Ｘ線透視画像においてマーカー部３０の濃淡を観察することにより、基準マーカー部３１０および計測マーカー部３２１〜３２４をより明確に判別することができる。
【００８０】
上記のようにして、術者は、Ｘ線透視画像における計測マーカー部３２１〜３２４の形状および濃淡を観察することによって、ずれ角度Δθ（＝９０°）ずつ回転する図４（Ａ）〜（Ｄ）に示すＸ線透視画像をそれぞれ判別することができる。これにより、術者は、例えば、図４（Ｂ）のＸ線透視画像の場合は、図４（Ａ）のＸ線透視画像を基準として、ずれ角度Δθ（９０°）だけ矢印Ｒ１方向に回転したことが分かる。同様に、図４（Ｃ）、（Ｄ）のＸ線透視画像の場合は、図４（Ａ）のＸ線透視画像を基準として、それぞれ１８０°、２７０°だけ矢印Ｒ１方向に回転したことが分かる。このように、術者は、図４（Ａ）〜（Ｄ）に示すＸ線透視画像をそれぞれ判別することによって、ガイドワイヤ１０の先端部の回転角度をずれ角度Δθごとに計測することができる。
【００８１】
以上のように本実施形態に係るガイドワイヤ（医療用長尺体）１０は、長尺状の本体部２０と、本体部２０の先端部に配置され、放射線不透過性を有するマーカー部３０と、を有している。マーカー部３０は、本体部２０の中心軸周りの周方向の全周に沿って連続的に形成された少なくとも一つの基準マーカー部３１０と、本体部２０の中心軸周りの周方向の一部に沿ってそれぞれ配置された複数の計測マーカー部３２１〜３２４と、を有している。複数の計測マーカー部３２１〜３２４の各々は、本体部２０の軸方向において、互いに異なる位置に配置されており、かつ、本体部２０の中心軸周りにおいて、少なくとも一部が互いに異なる位置に配置されてなる。
【００８２】
上記ガイドワイヤ１０によれば、本体部２０の中心軸周りにおいて、計測マーカー部３２１〜３２４の少なくとも一部が互いに異なる位置に配置されているため、ガイドワイヤ１０の先端部を本体部２０の中心軸周りに回転させると、Ｘ線透視画像における計測マーカー部３２１〜３２４の形状が変化する。また、Ｘ線透視画像を撮影する方向から見て、マーカー部３０が重なっている部分は、重なっていない部分よりも濃く造影される。術者は、Ｘ線透視画像における計測マーカー部３２１〜３２４の形状および濃淡を観察することによって、ガイドワイヤ１０の先端部の回転角度を計測することができる。また、マーカー部３０は、本体部２０の中心軸周りの周方向の全周に沿って連続的に形成された基準マーカー部３１０を備えているため、ガイドワイヤ１０の回転角度によらずに、基準マーカー部３１０を基準として複数の計測マーカー部３２１〜３２４の位置を正確に把握することができる。これにより、術者は、ガイドワイヤ１０の回転角度によらずに、放射線透視画像上でガイドワイヤ１０の先端部の回転角度を計測することができる。その結果、ガイドワイヤ１０の操作性が向上するとともに、トルクのかけ過ぎによるガイドワイヤ１０の破断を防止することができる。
【００８３】
また、基準マーカー部３１０の本体部２０の中心軸周りの周方向に延在する形状は、複数の計測マーカー部３２１〜３２４の本体部２０の中心軸周りの周方向に延在する形状と異なる。これにより、Ｘ線透視画像において、基準マーカー部３１０と、計測マーカー部３２１〜３２４とをより明確に区別することができる。
【００８４】
また、基準マーカー部３１０は、計測マーカー部３２１〜３２４との間に隙間を介して配置されている。これにより、術者は、Ｘ線透視画像において、基準マーカー部３１０と、計測マーカー部３２１〜３２４とをより明確に区別することができる。
【００８５】
また、基準マーカー部３１０は、複数の計測マーカー部３２１〜３２４よりも先端側に配置されている。これにより、術者は、基準マーカー部３１０に基づいて、Ｘ線透視画像上でガイドワイヤ１０の先端部の位置を確認しながら、生体管腔の目的の部位に容易に配置することができる。
【００８６】
また、軸方向に隣り合う計測マーカー部３２１〜３２４は、軸方向に互いに接するように隙間なく配置されている。これにより、マーカー部３０の幅Ｗ１を狭めることができる。したがって、術者は、Ｘ線透視画像の撮影領域を変えることなく一つのＸ線透視画像上でマーカー部３０の全体を視認することができる。また、マーカー部３０の幅Ｗ１が狭められている場合、Ｘ線透視画像上での各計測マーカー部３２１〜３２４の周方向の位置関係のずれは小さくなる。これにより、隣接する計測マーカー部３２１〜３２４の互いの周方向に沿う長さを比較することで計測を容易に行うことができる。
【００８７】
また、複数の計測マーカー部３２１〜３２４は、本体部２０の中心軸周りの周方向に沿う長さが同じである。これにより、計測マーカー部３２１〜３２４の中心角θ１〜θ４の大きさが同じになる。これにより、Ｘ線透視画像において、ガイドワイヤ１０を所定の角度回転させた際の各々の計測マーカー部３２１〜３２４の形状は同じように変化する。したがって、術者は、Ｘ線透視画像において、ガイドワイヤ１０の回転角度による計測マーカー部３２１〜３２４の形状の違いを容易に判別することができる。その結果、術者は、回転角度を容易に把握することができる。
【００８８】
また、複数の計測マーカー部３２１〜３２４は、本体部２０の中心軸周りの周方向の半周に沿ってそれぞれ配置されてなる。これにより、計測マーカー部３２１〜３２４の本体部２０の周方向に沿う長さが本体部２０の中心軸周りの周方向の半周分になるため、特定の方向からから撮影したＸ線透視画像において、ガイドワイヤ１０の直径の長さ分造影される計測マーカー部３２１〜３２４を観察することができる。仮に、計測マーカー部３２１〜３２４の本体部２０の周方向に沿う長さが本体部２０の中心軸周りの周方向の半周分よりも短いと、Ｘ線透視画像において計測マーカー部３２１〜３２４の大きさがガイドワイヤ１０の直径の長さ分よりも小さくなるため、計測マーカー部３２１〜３２４の視認性が低下する。また、計測マーカー部３２１〜３２４の本体部２０の周方向に沿う長さが本体部２０の中心軸周りの周方向の半周分よりも長いと、隣り合う計測マーカー部３２１〜３２４のＸ線透視画像における見え方が一致する範囲が広くなる。したがって、複数の計測マーカー部３２１〜３２４を本体部２０の中心軸周りの周方向の半周に沿ってそれぞれ配置することによって、計測マーカー部３２１〜３２４の視認性を向上することができる。また、ガイドワイヤ１０の直径の長さ分造影される計測マーカー部３２１〜３２４の本数と基準マーカー部３１０に対する相対的な位置、およびガイドワイヤ１０の半径の長さ分造影される計測マーカー部３２１〜３２４の基準マーカー部３１０に対する相対的な位置と配置（形状）を観測することによって、容易にガイドワイヤ１０の回転角度を計測することができる。
【００８９】
また、本体部２０の中心軸方向に直交する断面において、隣り合う計測マーカー部３２１〜３２４が本体部２０の中心軸周りにずれる角度（ずれ角度）Δθは、等しい。これにより、ガイドワイヤ１０の回転角度をずれ角度Δθ単位でより正確に把握することができる。
【００９０】
また、本発明を適用する医療用長尺体は、ガイドワイヤ１０である。これにより、例えば、分岐した血管内で所望の血管を選択する際に、先端を意図した方向に向ける操作や、狭窄した病変部内を進ませる操作や、病変部の両端からガイドワイヤ１０とマイクロカテーテルを対向させて互いに接近するように進めて、病変部内でガイドワイヤ１０をマイクロカテーテル内に挿通するワイヤーランデブー（Ｗｉｒｅ  Ｒｅｎｄｅｚ−ｖｏｕｓ）の操作等を容易に行うことができる。また、例えば、ＩＶＵＳ等の画像診断用カテーテルによって得られた生体管腔の断層画像を基に、偽腔、プラーク、生体管腔の分岐部等と、ガイドワイヤ１０との位置関係を把握し、所望の方向へガイドワイヤ１０の先端部を向ける場合に、必要な回転角度だけガイドワイヤ１０の先端部を回転させることができる。また、臨床試験において、手元の回転操作によってガイドワイヤ１０の先端部がどの程度回転するかを把握することによって、ガイドワイヤ１０の性能を測ることができる。
【００９１】
＜第２実施形態＞
次に、図５〜図９を参照して、第２実施形態について説明する。なお、上述した第１実施形態と同様の構成については、同一の符号を付し、その説明を省略する。また、第２実施形態において特に言及しない点については、上述した第１実施形態と同様に構成することができるものとする。
【００９２】
図５は、第２実施形態に係るガイドワイヤ１００の側面図、図６、図７は、ガイドワイヤ１００の軸直交断面図、図８、図９は、ガイドワイヤ１００のＸ線透視画像を示す図である。
【００９３】
第２実施形態に係るガイドワイヤ１００は、マーカー部６０の構成のみが前述した第１実施形態と相違する。マーカー部６０以外の構成は、前述した第１実施形態と同様のため、説明を省略する。
【００９４】
マーカー部６０は、８つの計測マーカー部６２１〜６２８と、２つの基準マーカー部６１１、６１２と、を有している。
【００９５】
基準マーカー部６１１は、計測マーカー部６２１〜６２８よりも先端側、すなわち、マーカー部６０の最先端に配置されている。基準マーカー部６１２は、４つの計測マーカー部６２１〜６２４と４つの計測マーカー部６２５〜６２８との間、すなわち、計測マーカー部６２１〜６２８の真ん中付近に配置されている。
【００９６】
前述した第１実施形態と同様に、基準マーカー部６１１、６１２は、本体部２０の周方向の全周に配置され、計測マーカー部６２１〜６２８と異なる形状を有している。
【００９７】
また、計測マーカー部６２１〜６２８は、本体部２０の周方向に沿う長さが同じであり、本体部２０の周方向の半周に沿ってそれぞれ配置されている。
【００９８】
また、図６（Ｂ）〜（Ｅ）、図７（Ｂ）〜（Ｅ）に示すように、軸方向に隣り合う計測マーカー部６２１〜６２８の中心角θ１１〜θ１８は、本体部２０の中心軸周りに所定のずれ角度Δθだけ相対的にずれるように配置されている。
【００９９】
本実施形態では、ずれ角度Δθは、４５°であり、計測マーカー部６２１〜６２８の数は、８（＝３６０°／ずれ角度Δθ（＝４５°））である。
【０１００】
図６（Ａ）は、基準マーカー部６１１を示す軸直交断面図であり、図６（Ｂ）は、計測マーカー部６２１を示す軸直交断面図であり、図６（Ｃ）は、計測マーカー部６２２を示す軸直交断面図であり、図６（Ｄ）は、計測マーカー部６２３を示す軸直交断面図であり、図６（Ｅ）は、計測マーカー部６２４を示す軸直交断面図である。図７（Ａ）は、基準マーカー部６１２を示す軸直交断面図であり、図７（Ｂ）は、計測マーカー部６２５を示す軸直交断面図であり、図７（Ｃ）は、計測マーカー部６２６を示す軸直交断面図であり、図７（Ｄ）は、計測マーカー部６２７を示す軸直交断面図であり、図７（Ｅ）は、計測マーカー部６２８を示す軸直交断面図である。
【０１０１】
図８（Ａ）〜（Ｄ）、図９（Ａ）〜（Ｄ）は、ガイドワイヤ１０を本体部２０の中心軸周りにずれ角度Δθ（＝４５°）ずつ矢印Ｒ１方向に回転させて、ガイドワイヤ１０を側面視したＸ線透視画像を示す図である。
【０１０２】
図８（Ａ）は、図６（Ａ）〜（Ｅ）、図７（Ａ）〜（Ｅ）に示す矢印Ｄ１の方向から撮影したＸ線透視画像である。図８（Ｂ）〜（Ｄ）は、図８（Ａ）に示すＸ線透視画像を基準（０°）としてガイドワイヤ１０を矢印Ｒ１方向に回転させて撮影したＸ線透視画像である。図８（Ｂ）は、４５°だけ矢印Ｒ１方向に回転させて、図６（Ａ）〜（Ｅ）、図７（Ａ）〜（Ｅ）に示す矢印Ｄ２の方向から撮影したＸ線透視画像である。図８（Ｃ）は、９０°だけ矢印Ｒ１方向に回転させて、図６（Ａ）〜（Ｅ）、図７（Ａ）〜（Ｅ）に示す矢印Ｄ３の方向から撮影したＸ線透視画像である。図８（Ｄ）は、１３５°だけ矢印Ｒ１方向に回転させて、図６（Ａ）〜（Ｅ）、図７（Ａ）〜（Ｅ）に示す矢印Ｄ４の方向から撮影したＸ線透視画像である。
【０１０３】
図９（Ａ）は、１８０°だけ矢印Ｒ１方向に回転させて、図６（Ａ）〜（Ｅ）、図７（Ａ）〜（Ｅ）に示す矢印Ｄ５の方向から撮影したＸ線透視画像である。図９（Ｂ）は、２２５°だけ矢印Ｒ１方向に回転させて、図６（Ａ）〜（Ｅ）、図７（Ａ）〜（Ｅ）に示す矢印Ｄ６の方向から撮影したＸ線透視画像である。図９（Ｃ）は、２７０°だけ矢印Ｒ１方向に回転させて、図６（Ａ）〜（Ｅ）、図７（Ａ）〜（Ｅ）に示す矢印Ｄ７の方向から撮影したＸ線透視画像である。図９（Ｄ）は、３１５°だけ矢印Ｒ１方向に回転させて、図６（Ａ）〜（Ｅ）、図７（Ａ）〜（Ｅ）に示す矢印Ｄ８の方向から撮影したＸ線透視画像である。なお、ガイドワイヤ１０の回転方向は矢印Ｒ１方向に限定されず、矢印Ｒ２方向（図５を参照）に回転させてもよい。
【０１０４】
前述した第１実施形態と同様に、複数の計測マーカー部６２１〜６２８の各々は、本体部２０の中心軸周りにおいて、少なくとも一部が互いに異なる位置に配置されている。本実施形態では、複数の計測マーカー部６２１〜６２８は、図６（Ａ）〜（Ｅ）、図７（Ａ）〜（Ｅ）に示すように、隣り合う計測マーカー部６２１〜６２８の中心角θ１１〜θ１８が本体部２０の中心軸周りに相対的にずれている。このため、ガイドワイヤ１０の先端部を回転させると、図８（Ａ）〜（Ｄ）、図９（Ａ）〜（Ｄ）に示すように、Ｘ線透視画像における計測マーカー部６２１〜６２８の形状が変化する。また、Ｘ線透視画像を撮影する方向から見て、マーカー部６０が重なっている部分は、重なっていない部分よりも濃く造影される。術者は、Ｘ線透視画像における計測マーカー部６２１〜６２８の形状および濃淡を観察することによって、ガイドワイヤ１０の先端部の回転角度を計測することができる。
【０１０５】
また、前述した第１実施形態と同様に、Ｘ線透視画像を撮影する方向から見て、マーカー部６０が重なっている部分は、重なっていない部分よりも濃く造影される。これにより、基準マーカー部６１１、６１２および計測マーカー部６２１〜６２８をより明確に判別することができる。
【０１０６】
第２実施形態に係るガイドワイヤ１００においても、前述した第１実施形態に係るガイドワイヤ１０と同様の効果が発揮される。
【０１０７】
また、マーカー部６０は、複数の基準マーカー部６１１、６１２を有している。このため、本実施形態のように計測マーカー部６２１〜６２８の数が比較的多い場合に、基準マーカー部６１１、６１２を基準として計測マーカー部６２１〜６２８の位置を容易に把握することができる。
【０１０８】
また、前述した第１実施形態に比べて、本実施形態では、計測マーカー部６２１〜６２８の数が増加している。計測マーカー部６２１〜６２８の数を増やすことによって、ずれ角度Δθをより小さい値に設定することができる。このため、術者は、ガイドワイヤ１０の先端部の回転角度をより詳細に計測することができる。
【０１０９】
＜第３実施形態＞
次に、図１０、図１１を参照して、第３実施形態について説明する。なお、上述した第１実施形態と同様の構成については、同一の符号を付し、その説明を省略する。また、第３実施形態において特に言及しない点については、上述した第１実施形態と同様に構成することができるものとする。
【０１１０】
図１０（Ａ）〜（Ｄ）は、ガイドワイヤ２００を本体部２０の中心軸周りにずれ角度Δθ（＝９０°）ずつ矢印Ｒ１方向に回転させたガイドワイヤ２００の側面図である。図１１（Ａ）〜（Ｄ）は、それぞれ図１０（Ａ）〜（Ｄ）に示すガイドワイヤ２００のＸ線透視画像を示す図である。
【０１１１】
第３実施形態に係るガイドワイヤ２００は、マーカー部７０の計測マーカー部７２１〜７２４の構成のみが前述した第１実施形態と相違する。なお、計測マーカー部７２１〜７２４以外の構成は、前述した第１実施形態と同様のため、説明を省略する。
【０１１２】
前述した第１実施形態に係るガイドワイヤ１０では、計測マーカー部３２１〜３２４は、周方向に沿って略一定の幅を備える帯状の形状を有している。これにより、図４（Ａ）〜（Ｄ）に示すように、計測マーカー部３２１〜３２４の少なくとも一部は、ガイドワイヤ１０を側面視したＸ線透視画像において、本体部２０の中心軸に対して対称な形状を有する。
【０１１３】
これに対して、本実施形態では、図１０（Ａ）〜（Ｄ）に示すように、各計測マーカー部７２１〜７２４は、一方の端部が本体部２０の周方向に沿って先細る形状を有し、他方の端部が周方向に沿って略一定の幅を備える帯状の形状を有している。
【０１１４】
上記構成により、図１１（Ａ）〜（Ｄ）に示すように、本実施形態に係るガイドワイヤ２００では、ガイドワイヤ２００を側面視したＸ線透視画像において、各計測マーカー部７２１〜７２４は、本体部２０の中心軸に対して非対称な形状を有している。これにより、図１１（Ａ）〜（Ｄ）に示すように、各計測マーカー部７２１〜７２４は、それぞれ異なる形状に造影される。これにより、術者は、Ｘ線透視画像において、ガイドワイヤ２００の回転角度による計測マーカー部７２１〜７２４の形状の違いを容易に判別することができる。
【０１１５】
なお、計測マーカー部７２１〜７２４の形状は、図１０（Ａ）〜（Ｄ）に示すものに限定されず、例えば、図１２（Ａ）に示すマーカー部７０Ａのように矢印形状としてもよいし、図１２（Ｂ）に示すマーカー部７０Ｂのように計測マーカー部７２１〜７２４の一部に孔を設けてもよいし、図１２（Ｃ）に示すマーカー部７０Ｃのように周方向に沿って幅が変化する形状であってもよい。
【０１１６】
第３実施形態に係るガイドワイヤ２００においても、前述した第１実施形態に係るガイドワイヤ１０と同様の効果が発揮される。
【０１１７】
また、ガイドワイヤ２００（医療用長尺体）を側面視した放射線透視画像において、各計測マーカー部７２１〜７２４は、本体部２０の中心軸に対して非対称な形状を有する。これにより、術者は、Ｘ線透視画像において、ガイドワイヤ２００の回転角度による計測マーカー部７２１〜７２４の形状の違いを容易に判別することができる。その結果、術者は、回転角度をより一層容易に把握することができる。
【０１１８】
以上、実施形態を通じて本発明に係るガイドワイヤを説明したが、本発明は実施形態において説明した構成に限定されることはなく、特許請求の範囲の記載に基づいて適宜変更することが可能である。
【０１１９】
例えば、本発明を適用する医療用長尺体としてガイドワイヤを例に挙げて説明したが、長尺状の部材であればガイドワイヤに限定されず、例えば、カテーテルに適用することもできる。
【０１２０】
また、基準マーカー部の本体部の中心軸周りの周方向に延在する形状は、複数の計測マーカー部の本体部の中心軸周りの周方向に延在する形状と同じあってもよい。
【０１２１】
また、複数の計測マーカー部は、本体部の周方向に沿う長さが、それぞれ異なっていてもよい。
【０１２２】
また、計測マーカー部は、本体部の中心軸周りの周方向の一部に沿って配置されていれば、周方向の半周に沿ってそれぞれ配置される構成に限定されず、周方向に沿う長さが周方向の半周よりも短くてもよいし、半周よりも長くてもよい。
【０１２３】
また、マーカー部は、被覆層の外表面に配置されるとしたが、これに限定されず、例えば、コアワイヤの外表面にマーカー部を設けてもよい。被覆層は、マーカー部を含むコアワイヤの外表面を覆うように形成されていてもよい。この場合、「本体部」は、被覆層を含まないコアワイヤとして定義される。
【０１２４】
また、医療用長尺体を構成する各部は、同様の機能を発揮し得る任意の構成のものと置き換えることができる。また、医療用長尺体は、明細書内において特に説明のなかった任意の構成物（部材）等が適宜付加されてもよい。
【符号の説明】
【０１２５】
１０、１００、２００  ガイドワイヤ（医療用長尺体）、
２０  本体部、
３０、６０、７０  マーカー部、
３１０、６１１、６１２  基準マーカー部、
３２１〜３２４、６２１〜６２８、７２１〜７２４  計測マーカー部、
４０  コアワイヤ、
５０  被覆層、
Ｘ        本体部の軸方向（本体部の中心軸方向）、
Ｒ        本体部の周方向、
Ｘ１      先端側、
Ｘ２      基端側
θ１〜θ４、θ１１〜θ１８  中心角、
Δθ      ずれ角度。
【図１】
2018191883.tif 000003
【図２】
2018191883.tif 000004
【図３】
2018191883.tif 000005
【図４】
2018191883.tif 000006
【図５】
2018191883.tif 000007
【図６】
2018191883.tif 000008
【図７】
2018191883.tif 000009
【図８】
2018191883.tif 000010
【図９】
2018191883.tif 000011
【図１０】
2018191883.tif 000012
【図１１】
2018191883.tif 000013
【図１２】
2018191883.tif 000014